(57)【要約】【課題】電気楽器に接続して、人体センサ６１が人を感知すると、その電気楽器から出力される演奏信号に対応して発光素子の発光・消光および／または音響効果の制御を行うエフェクタを提供する。【解決手段】本発明に係るエフェクタ１，１００は、人の近接を検出する人体センサ６１、人体センサ６１に人が近接したときに出力をオンにし、人体センサ６１から人が遠ざかったときに出力をオフにするスイッチ手段６２、ハウジング内に内蔵された少なくとも１つの発光素子７１、それらの発光素子の発光・消光を制御する発光制御手段７２、音響効果を制御する音響効果制御手段５３を備え、スイッチ手段６２の出力がオンのときに発光制御手段７２および／または音響効果制御手段５３を動作させ、スイッチ手段の出力がオフのときに発光制御手段７２および／または音響効果制御手段５３の動作を停止させる。【選択図】図１１
2009053527.tif 000002
【特許請求の範囲】
【請求項１】
単体のハウジングで構成され、エレキギターなどの楽器で生成された演奏信号に基づいて複数の発光素子を発光・消光させるエフェクタにおいて、
人の近接を検出する人体センサと、
前記人体センサに人が近接したときに出力をオンにし、前記人体センサから人が遠ざかったときに出力をオフにするスイッチ手段と、
前記ハウジング内に内蔵された少なくとも１つの発光素子と、
前記発光素子の発光・消光を制御する発光制御手段とを備え、
前記スイッチ手段の出力がオンのときに前記発光制御手段を動作させ、前記スイッチ手段の出力がオフのときに前記発光制御手段の動作を停止させることを特徴とするエフェクタ。
【請求項２】
前記発光制御手段は、入力される演奏信号に基づいて前記少なくとも１つの発光素子の発光色、発光時間または発光光量を制御することを特徴とする請求項１記載のエフェクタ。
【請求項３】
前記ハウジングは外壁が半透明の材質で構成され、
前記半透明の材質は、前記ハウジング内の発光素子が発光したときに、その光がハウジングの外部から確認でき、一方、前記ハウジング内の発光素子が消光したときには、前記発光素子は外部からは確認できないようなものであることを特徴とする請求項１または請求項２記載のエフェクタ。
【請求項４】
前記人体センサは、指向性を有するように構成されることを特徴とする請求項１ないし請求項３のいずれかに記載のエフェクタ。
【請求項５】
前記人体センサは、筒部材中に配置され、上方向の指向性を有することを特徴とする請求項４記載のエフェクタ。
【請求項６】
前記発光制御手段は、前記人体センサまたはワイヤレス送信機によって起動されることを特徴とする請求項１ないし請求項４のいずれかに記載のエフェクタ。
【請求項７】
単体のハウジングで構成され、エレキギターなどの楽器で生成された演奏信号に基づいて複数の発光素子を発光・消光させるとともに音響効果制御も行うエフェクタにおいて、
人の近接を検出する人体センサと、
前記人体センサに人が近接したときに出力をオンにし、前記人体センサから人が遠ざかったときに出力をオフにするスイッチ手段と、
前記ハウジング内に内蔵された少なくとも１つの発光素子と、
前記発光素子の発光・消光を制御する発光制御手段と、
音響効果を制御する音響効果制御手段とを備え、
前記スイッチ手段の出力がオンのときに前記発光制御手段および／または前記音響効果制御手段を動作させ、前記スイッチ手段の出力がオフのときに前記発光制御手段および／または前記音響効果制御手段の動作を停止させることを特徴とするエフェクタ。
【発明の詳細な説明】
【技術分野】
【０００１】
本発明は、電気楽器に接続して、その電気楽器から出力される演奏信号に対応して発光素子の発光・消光を制御するエフェクタに関する。特に、エフェクタに設けられたＬＥＤの点滅を制御することによって、演奏会の雰囲気を盛り上げるために用いるものである。
【背景技術】
【０００２】
近年、電気楽器の発達には目を見張るものがあり、より豊かな音楽的表現を提供するための音響効果および照明効果が求められるようになってきている。エレキギターなどの楽器の演奏者は、実演の際に、エフェクタを効果的に使用している。エフェクタには、たとえばエレキギターなどの楽器とスピーカとの中間に接続され、楽器から出力される演奏信号の音量、音質、遅延、エコー等を制御することによって、楽器単体では得られない音響効果を出すタイプと、楽器から出力される演奏信号に基づいてＬＥＤ等の発光素子を点滅させて演奏会の雰囲気を盛り上げるタイプとがある。本願発明のエフェクタは、後者のタイプに属するものであり、ライブ演奏などにおいては必須の機材となってきている。
【０００３】
図１７は、従来の電気楽器用エフェクタの一例を示す図である。図１７において、電気楽器用エフェクタ１３０は、従来の電気楽器用エフェクタ１３０は、ギターＧに接続され、ギターＧの演奏信号に基づいてその発光部１２０の各ＬＥＤ１２０ａを発光・消光させる。
【０００４】
図１８は、従来の電気楽器用エフェクタの電気回路の一例を示す図である。図１８において、演奏操作子１０１は音を発生させる部分であり、ギターで言えば、例えば、弦に相当する部分である。演奏操作子１０１で発生された演奏信号は、検出回路１０３で検出され、電気楽器用エフェクタ１３０に送られ、ギターＧから出力される演奏信号に基づいて発光部１２０のＬＥＤ１２０ａを点滅させる。演奏操作子１０１以外の他の構成要素であるパネル操作子１０２およびその検出回路１０４、ＣＰＵ１０５、外部記憶装置１１０，音源回路１１１，効果回路１１２等は、エフェクタ１３０の筐体側に設けられる。これらは本願発明と直接的には関係しないので詳細な動作説明は省略する。
【０００５】
発光部１２０は、主として、複数個のＬＥＤ１２０ａと、ＣＰＵ１０５からの制御信号を受信し、この制御信号に従って各ＬＥＤ１２０ａを駆動するインタフェース１２０ｂとにより構成されている。発光部１２０は、演奏操作子１０１で発生された演奏信号に基づいて、ＣＰＵ１０５で計算された値の電流を設定した時間だけＬＥＤ１２０ａに流すことによって、複数のＬＥＤ１２０ａのうち、制御対象となる各ＬＥＤ１２０ａ発光・消光を制御する。
【０００６】
このように、従来のエフェクタは、演奏者の電気楽器に有線または無線で接続され、このエフェクタの動作は演奏者が電気楽器に設けられたスイッチを手動でオンにすることにより、またはエフェクタ本体に設けられたペダルを足で踏んでスイッチをオンにすることによって動作するように構成されていた。
【特許文献１】特開２００６−１８１５８号公報
【発明の開示】
【発明が解決しようとする課題】
【０００７】
しかしながら、特許文献１により開示される従来のエフェクタは、演奏中に演奏者が手動でスイッチをオンやオフにしたり、エフェクタ本体に設けられたペダルを足で踏んでスイッチをオンやオフにしたりすることで、楽器から入力される演奏信号に対応してＬＥＤ等の発光素子を点灯したり点滅させたりするものである。そのため、エレキギターなどの楽器の演奏者は、エフェクタを動作させるためには、演奏者が手動でスイッチをオンにしたり、またエフェクタ本体に設けられたペダルを足で踏んでスイッチをオンにしたりしなければならならず、このために演奏者は、エフェクタを動作させるために演奏以外の動作が必要となり、またエフェクタを頻繁に動作させなければならないために派手な演奏アクションが制限されることがあった。
【０００８】
本発明は、演奏者が手や足を用いることなく、また派手なアクションなどを行いながらでもエフェクタの動作を自由に制御できることを目的とする。
【課題を解決するための手段】
【０００９】
第１の本発明におけるエフェクタは、単体のハウジングで構成され、エレキギターなどの楽器で生成された演奏信号に基づいて複数の発光素子を発光・消光させるエフェクタにおいて、人の近接を検出する人体センサと、前記人体センサに人が近接したときに出力をオンにし、前記人体センサから人が遠ざかったときに出力をオフにするスイッチ手段と、前記ハウジング内に内蔵された少なくとも１つの発光素子と、前記発光素子の発光・消光を制御する発光制御手段とを備え、前記スイッチ手段の出力がオンのときに前記発光制御手段を動作させ、前記スイッチ手段の出力がオフのときに前記発光制御手段の動作を停止させることを特徴とする。
【００１０】
第２の本発明におけるエフェクタの発光制御手段は、入力される演奏信号に基づいて前記少なくとも１つの発光素子の発光色、発光時間または発光光量を制御することを特徴とする。
【００１１】
第３の本発明においては、エフェクタのハウジングは外壁が半透明の材質で構成され、前記半透明の材質は、前記ハウジング内の発光素子が発光したときに、その光がハウジングの外部から確認でき、一方、前記ハウジング内の発光素子が消光したときには、前記発光素子は外部からは確認できないようなものであることを特徴とする。
【００１２】
第４の本発明において、エフェクタの人体センサは、指向性を有するように構成されることを特徴とする。
【００１３】
第５の本発明において、エフェクタの人体センサは、筒部材中に配置され、上方向の指向性を有することを特徴とする。
【００１４】
第６の本発明において、エフェクタの発光制御手段は、前記人体センサまたはワイヤレス送信機によって起動されることを特徴とする。
【００１５】
第７の本発明におけるエフェクタは、単体のハウジングで構成され、エレキギターなどの楽器で生成された演奏信号に基づいて複数の発光素子を発光・消光させるとともに音響効果制御も行うエフェクタにおいて、人の近接を検出する人体センサと、前記人体センサに人が近接したときに出力をオンにし、前記人体センサから人が遠ざかったときに出力をオフにするスイッチ手段と、前記ハウジング内に内蔵された少なくとも１つの発光素子と、前記発光素子の発光・消光を制御する発光制御手段と、音響効果を制御する音響効果制御手段とを備え、前記スイッチ手段の出力がオンのときに前記発光制御手段および／または前記音響効果制御手段を動作させ、前記スイッチ手段の出力がオフのときに前記発光制御手段および／または前記音響効果制御手段の動作を停止させることを特徴とする。
【発明の効果】
【００１６】
第１の発明によれば、エフェクタは、単体のハウジングで構成され、エレキギターなどの楽器で生成された演奏信号に基づいて複数の発光素子を発光・消光させるエフェクタにおいて、人の近接を検出する人体センサと、前記人体センサに人が近接したときに出力をオンにし、前記人体センサから人が遠ざかったときに出力をオフにするスイッチ手段と、前記ハウジング内に内蔵された少なくとも１つの発光素子と、前記発光素子の発光・消光を制御する発光制御手段とを備え、前記スイッチ手段の出力がオンのときに前記発光制御手段を動作させ、前記スイッチ手段の出力がオフのときに前記発光制御手段の動作を停止させるように構成されるので、エレキギターなどの楽器の演奏者は、手や足や体をエフェクタの人体センサの上部に持っていくことによって、エフェクタの動作をオンにすることができ、再度、エフェクタの上部に手や足や体を持っていくと、エフェクタの動作をオフにすることができる。したがって、演奏者は、たとえば派手なアクションなどによりエフェクタの動作を有効にしたり、あるいは無効にしたりすることができる。また、演奏者は、エフェクタを動作させた後には、エフェクタから離れて自由に演奏することができる。このように、本発明のエフェクタを用いれば、演奏者などは、派手なアクションを交えることによってエフェクタのオン、オフを制御することができる。
【００１７】
また、本発明によれば、人体センサが人の動きを非接触に検出する利点を生かして、エフェクタに触れることなくエフェクタ内のＬＥＤを光らせることができる。すなわち、従来のエフェクタでは、フットスイッチを設けたものは、踏まれることに対する強度を確保するように頑丈なハウジングとする必要がある。しかし、本発明では、そのようなハウジングが不要となる利点を生かして、ハウジングの厚さを薄くして、発光素子の光をハウジングの露出面全体から放射可能な材料あるいは構造にして、ハウジングが全体的に光るエフェクタを構成することができる。
【００１８】
第２の発明によれば、エフェクタの発光制御手段は、入力される演奏信号に基づいて少なくとも１つの発光素子の発光色、発光時間または発光光量を制御することができる。したがって、エフェクタをオンにした後は、演奏者の意志にかかわらず演奏信号に基づいてＬＥＤを点滅することができるので、演奏者はエフェクタの制御に注意を向けることなく自分の演奏を続けることができる。
【００１９】
第３の発明によれば、エフェクタのハウジングは外壁が半透明の材質で構成され、その半透明の材質は、ハウジング内の発光素子が発光したときに、その光はハウジングの外部から確認でき、一方、ハウジング内の発光素子が消光したときには、その発光素子は外部からは確認できないように構成されるので、エフェクタが動作していないときには、エフェクタのハウジング内に発光素子が存在することは分からず、エフェクタが動作したときには、エフェクタのハウジング内の発光素子が発光・消光してエフェクタの視覚的効果を存分に発揮でできる。
【００２０】
第４の発明によれば、エフェクタの人体センサは、指向性を有するように構成されるので、単に人がエフェクタに近づいただけではエフェクタは動作せず、特定の方向に人体が近づいたときのみエフェクタが動作するようにできる。これによって、特定の方向を決めておくことによって、演奏者はエフェクタを効果的にオン、オフできる。
【００２１】
第５の発明によれば、エフェクタの人体センサは、筒部材中に配置され、上方向の指向性を有するので、人体がエフェクタ上部方向に来たときのみエフェクタが動作するようにできる。演奏者はエフェクタを起動又は停止させたいときには、エフェクタの上部方向に体の一部を持って行くことによりエフェクタを効果的にオン、オフできる。
【００２２】
第６の発明によれば、エフェクタの発光制御手段は、人体センサまたはワイヤレス送信機によって起動される。したがって、演奏者はエフェクタに近づくことによってまたは楽器本体に取りつけられたワイヤレス送信機のいずれによっても発光制御手段を制御することができる。
【００２３】
第７の発明によれば、単体のハウジングで構成され、エレキギターなどの楽器で生成された演奏信号に基づいて複数の発光素子を発光・消光させるとともに音響効果制御も行うエフェクタにおいて、人の近接を検出する人体センサと、人体センサに人が近接したときに出力をオンにし、人体センサから人が遠ざかったときに出力をオフにするスイッチ手段と、ハウジング内に内蔵された少なくとも１つの発光素子と、発光素子の発光・消光を制御する発光制御手段と、音響効果を制御する音響効果制御手段とを備え、スイッチ手段の出力がオンのときに発光制御手段および／または音響効果制御手段を動作させ、スイッチ手段の出力がオフのときに発光制御手段および／または音響効果制御手段の動作を停止させるように構成されるので、第１の発明の効果に加えて、エレキギターなどの楽器の演奏者は、手や足や体をエフェクタの人体センサの上部に持っていくことによって、発光制御手段のみでなく響効果制御手段の動作も同時に有効あるいは無効にしたりすることができるので、演奏中にエフェクタの効果をさらに高めることができる。
【発明を実施するための最良の形態】
【００２４】
実施形態１．
以下、本発明の実施形態１に係るエフェクタ１を、図面を用いて説明する。実施形態１の発明は、演奏者がエフェクタ１に近づくことによってエフェクタ１の起動および停止を制御するための装置を提供する。一方、このエフェクタ１における発光素子の発光・消光の制御は、エレキギターなどの楽器３によって生成された演奏信号に基づいて行われる。
【００２５】
図１は、本発明のギター等の楽器３を有線でエフェクタ１に接続したときの説明図である。図１においては、ギター等の楽器３からの起動・停止信号および演奏信号はケーブル４を介してエフェクタ１に導かれる。エフェクタ１では、起動信号によってエフェクタ１が起動・停止されると共に、演奏信号に基づいて内部に配置されたＬＥＤ７１の発光・消光が制御される。
【００２６】
図２は、本発明のギター等の楽器３を無線５でエフェクタ１に接続したときの説明図である。図２においては、ギター等の楽器３からの起動信号および演奏信号は楽器３の一部に取りつけられたワイヤレス送信機２から無線回線５を介してエフェクタ１に導かれる。エフェクタ１では、有線の場合と同様に、起動信号によってエフェクタ１が起動・停止されると共に、演奏信号に基づいて内部に配置されたＬＥＤ７１の発光・消光が制御される。図２においては、演奏信号もワイヤレス送信機２から無線回線５を介してエフェクタ１に導かれるとしたが、演奏信号は楽器３から有線でエフェクタ１に送出され、起動信号のみをワイヤレス送信機２から無線回線５を介してエフェクタ１に導くようにしても良い。後述する図１１の演奏信号は後者の場合を示している。
【００２７】
図３は、本発明の実施形態１に係るエフェクタを斜め上からみた斜視図である。図３において、エフェクタ１はハウジング１０から構成され、ハウジング１０はハウジング底板１１とそれを覆うハウジングカバー１６から構成される。ハウジング１０の上面には人体センサ６１、音響効果調整つまみ５１等が取りつけられる。
【００２８】
ハウジングカバー１６は、プラスチック材料により、ハウジング底板１１の全体を覆う大きさの中空の略直方体形状を有する。また、ハウジングカバー１６は、その長尺方向の両端部が凸面１７に形成され、短尺方向の両端部には４つの凹面１８が形成されている。このような形状のハウジングカバー１６は、たとえば上述した形状に対応する金型を用いてプラスチック材料を射出成形することで形成することができる。
【００２９】
上記実施形態では、ハウジングカバー１６は、略直方体形状に形成されているが、この形状に限定されるものではなく、他の形状でも良い。例えば、円柱状、略半球状などに形成されてもよい。
【００３０】
また、ハウジングカバー１６は、後述するように、エフェクタ１に内蔵されるＬＥＤ（Light Emitting Diode）７１の光を透過することができるように形成される。光を透過することができるプラスチック材料としては、たとえば白色、透明（スケルトン）若しくは半透明のものがある。なお、ハウジングカバー１６には、たとえば多数の貫通孔などが開設された構造やメッシュ構造としてもよい。この多数の貫通孔やメッシュ構造の隙間により、ＬＥＤ７１の光を効率良く透過することができる。
【００３１】
また、ハウジングカバー１６の上面の中央には、それより上方へ突出するように突出部材２１が配設されている。突出部材２１は、エフェクタ１に内蔵されるＬＥＤ７１の光を透過しない材料により形成される。突出部材２１中には、人体センサ６１が配設される。人体センサ６１は、たとえば、赤外線センサ、フォトセンサ、フォトダイオード、Ｃｄセル素子などがあり、突出部材２１中に上向きに配設される。このような構造とすることで、突出部材２１の上方向に人が来たときのみ検出でき、エフェクタ１の横を単に行ったり来たりしている人は検出しないようにすることができる。また、人体センサ６１を突出部材２１中に上向きに配設することによって、エフェクタ１に内蔵されるＬＥＤ７１の光が、ハウジングカバー１６を透過した後、直接、人体センサ６１に入射して、人体センサ６１が誤動作しないようにすることができる。
【００３２】
なお、ハウジングカバー１６の板厚は、たとえば０．５〜７ミリメートル程度、好ましくは２〜５ミリメートル程度とすればよい。上述したようにハウジングカバー１６には、凸面１７および凹面１８を多用して構造を強化しているが、２ミリメートル未満の板厚では、エフェクタ１を基材とともに運搬する際などにプラスチック製のハウジングカバー１６が割れ易くなってしまう。また、５ミリメートル以上の肉厚になると、ＬＥＤ７１の光を有効に透過することができなくなり、ステージに置かれたエフェクタ１の点滅光がステージ下の観衆に対して十分な感激を与えることは難しくなってしまう。なお、ハウジングカバー１６の板厚を部分的に薄くし、その薄肉部からＬＥＤ７１の光が効率良く透過するようにしてもよい。薄肉部の輪郭形状をたとえば星型などとすることで、星型の輪郭の光を出力することができる。
【００３３】
図４から図１１は、本発明の実施形態１に係るエフェクタの外観を示す図である。図４は本発明の実施形態１に係るエフェクタの平面図である。図４において、ハウジングカバー１６の上面の中央には、それより上方へ突出するように突出部材２１が配設され、突出部材２１の中央には、人体センサ６１が配設されている。楽器３からのケーブル４は、ハウジングの一つの凹面１８に露出させて配設される入力コネクタ５２に差し込まれる。また、４つの音響効果調整つまみ５１は、ハウジングの上面に露出して配設される。
【００３４】
図５は、本発明の実施形態１に係るエフェクタの底面図である。図５において、ハウジング底板１１は、略長方形を基本とする板形状であって、長尺方向の両端部が円弧形状を有し、その短尺側部には２つの円弧形状の切欠部１２が形成されている。そして、ハウジング底板１１の中央部には、蓄電池を収容するための電池ボックス４２が配設され、その電池ボックス４２のカバー部材１３には、熱出し口として機能する一対のスリット１４が形成される。このエフェクタ１は、図５の底面を下にして演奏会場の床などに置かれる。
【００３５】
図６は、本発明の実施形態１に係るエフェクタの正面図である。図６において、音響効果制御回路５３からの出力であるステレオ出力コネクタ５５およびモノラル出力コネクタ５６がエフェクタ１の側面に設けられる。なお、ステレオ出力コネクタ５５およびモノラル出力コネクタ５６はエフェクタ１のどこに設けてもよい。
【００３６】
図７は本発明の実施形態１に係るエフェクタの背面図である。図７において、音声信号の入力である入力コネクタ５２がエフェクタ１の側面に設けられる。なお、入力コネクタ５２はエフェクタ１のどこに設けてもよい。
【００３７】
図８は、本発明の実施形態１に係るエフェクタの右側面図である。図８における側面図の形状は一例でありこれ以外の形状、例えば、半円形状や矩形形状にすることもできる。なお、エフェクタ１の左側面図は、右側面図と同じであるので省略する。
【００３８】
図９は、エフェクタ内の内部配置を示す図である。図９において、第一の回路基板３１および第二の回路基板３２を有し、第一の回路基板３１は、ハウジング底板１１のすぐ上側に配設され、第二の回路基板３２は、第一の回路基板３１の上側に配置され、その基板上に複数のＬＥＤ７１が上向きとなる姿勢で配設される。
【００３９】
第一の回路基板３１には、電源回路４２、音響効果制御回路５３、増幅器５４、その他音を処理する回路が実装される。第二の回路基板３２には、人体センサ６１、無線受信回路６３、スイッチ回路６２、発光制御回路７２、インタフェース７３、ＬＥＤ７１等が実装される。このように、音を処理する回路と発光素子を制御する回路とを別々の基板に実装することで、音響制御回路と発光素子制御回路とを完全に分離し、相互干渉による誤動作を防止している。なお、第一の回路基板３１と第二の回路基板３２とは信号線などにより接続されている。
【００４０】
上記実施形態では、発光素子として複数のＬＥＤ７１を用いている。発光素子としては、この他にも、例えば、スポット照明電球またはその他の電球などであってもよい。また、ＬＥＤ７１と電球との組合せにより複数の発光素子が構成されていてもよい。
【００４１】
図１０は、エフェクタ１のハウジング内における複数のＬＥＤ７１の配置を示す説明図である。図１０に図示するエフェクタ１は、例えば、１４個のＬＥＤ７１を有する。１４個のＬＥＤ７１は、エフェクタ１の全体に分散して配設されている。これにより、エフェクタ１は、１４個のＬＥＤ７１の光をその露出面全面から放射し、全体的に光ることができる。なお、この１４個のＬＥＤ７１は、すべての発光色が同じであっても、異なるものであってもよい。また、第二の回路基板３２のＬＥＤ７１側の面（上側の面）は、たとえば全面のシルク印刷などにより、光を効率良く反射する反射面に形成されていてもよい。
【００４２】
図１１は、エフェクタ１のハウジング内に配設される電気回路を示すブロック図である。図１１に示すように、エフェクタ１内には、第一の回路基板３１に実装され、演奏信号を処理して音質効果を制御するための音響効果制御回路５３や増幅回路５４と、第二の回路基板３２に実装され、人体の動きを検知してＬＥＤ７１を発光・消光させるための人体センサ６１、無線受信回路６３、スイッチ回路６２、発光制御回路７２、インタフェース７３とがある。
【００４３】
人体センサ６１は、人の動きを非接触にかつ光学的に検出し、上述したように、ハウジングカバー１６の上面中央に上向きに配設される。人体センサ６１は、演奏者の足等がエフェクタ１の上方を横切る動きを光量の変化として、演奏者の動きを非接触にかつ光学的に検出する。
【００４４】
このような人体センサ６１の出力はスイッチ回路６２に入力され、人体センサ６１が演奏者の動きを検出する度にオンとオフとを切り替える。スイッチ回路６２は、入力がないときには、最後の切り替え状態を保持する。なお、スイッチ回路６２は、人体センサ６１と無線受信回路６３のいずれかを優先的に利用するようにしてもよく、また、音響効果調整つまみ５１などを用いて、人体センサ６１と無線受信回路６３とを手動で切り替えるようにしてもよい。
【００４５】
発光制御回路７２は、複数のＬＥＤ７１に接続され、ＬＥＤ７１毎に発光・消光を制御する。具体的には、たとえば、発光制御回路７２は、スイッチ回路６２がオンの期間に、予め設定された発光プログラムにしたがって複数のＬＥＤ７１の発光・消灯を制御する。スイッチ回路６２がオフの期間には、ＬＥＤ７１の発光・消光の制御を停止する。一方、音響効果制御回路５３は、スイッチ回路６２がオンの期間に、演奏信号に応じて音響効果を制御する。スイッチ回路６２がオフの期間には、音響効果制御回路５３の動作が停止される。
【００４６】
また、発光制御回路７２は、複数のＬＥＤ７１と個別に接続され、ＬＥＤ７１毎に発光光量を制御することができる。また、発光制御回路７２は、ＰＷＭ（Pulse Width Modulation）制御などによりＬＥＤ７１の発光光量を制御することができる。
【００４７】
また、発光制御回路７２が発光・消光の制御に利用できる演奏信号としては、楽器３から入力される演奏信号のみでなく、音響効果制御回路５３が出力する演奏信号、音響効果制御回路５３内において音質効果処理のために生成される信号などを用いても良い。なお、発光制御回路７２は、これらの信号の内の１つに従って複数のＬＥＤ７１の発光・消灯を制御するようにしてもよく、これらの信号の内のいくつか、またはすべての信号にしたがって複数のＬＥＤ７１の発光・消灯を制御するようにしてもよい。
【００４８】
次に、上述の構成を有するこの実施形態１におけるエフェクタ１の動作を説明する。以下の説明では、エフェクタ１の上方における演奏者の動きを人体センサ６１により検出した場合の動作について説明する。
【００４９】
エフェクタ１の真上をエレキギターの演奏者の足などが通過したとき、人体センサ６１は、人の動きを非接触にかつ光学的に検出する。人体センサ６１により人体の動きが検出されると、スイッチ回路６２は、その保持状態をたとえばオフからオンへ切り替える。スイッチ回路６２がオンになると、発光制御回路７２は、予め設定された発光プログラムにしたがって、複数のＬＥＤ７１の発光・消光制御を開始する。ＬＥＤ７１の光は、エフェクタ１のハウジングカバー１６を透過して、エフェクタ１の外へ放射される。
【００５０】
一方、このスイッチ回路６２がオンになると、音響効果制御回路５３は、入力コネクタ５２から入力される演奏信号に音質効果処理を行い、その処理後の演奏信号を増幅回路５４へ出力するようにしてもよい。これにより、エレキギターの演奏者は、回し蹴りなどの派手なアクションにより、音質効果処理を開始するようにしてもよい。
【００５１】
なお、音質効果処理としては、たとえば、ファズ処理、オーバドライブディストーション処理、コンプレッサ処理、リミッタ処理、イコライザ処理、エキサイタ処理、ノイズリダクション処理、ノイズゲート処理、ワウワウ処理、フェーザ処理、コーラス処理、フランジャー処理、ビブラート処理、トレモロ処理、オクターブ処理、ワーミー処理、ピッチシフト処理、ディレイ処理、リバーブ処理、モジュレーション処理などがある。
【００５２】
このように、演奏者の派手なアクションにより、エフェクタ１がステージ上で発光・消光の開始を始めるので、観衆の注意がエレキギターの演奏者側に向く。演奏者は、観衆の注意を引いた上で、たとえばソロ演奏をし、演奏者を目立たせることができる。また、エフェクタ１の起動と共に、エフェクタ１の音質効果処理を有効にしてもよい。
【００５３】
エレキギターの演奏者の足が、再度エフェクタ１の上方を通過すると、人体センサ６１は、その動きを検出する。スイッチ回路６２の保持状態は、オンからオフへ切り替わる。このときには、発光制御回路７２は、発光・消光の制御を停止するので、すべてのＬＥＤ７１の発光が停止され、エフェクタ１から光が放射されなくなる。また、音響効果制御回路５３は、このスイッチ回路６２がオフへ変化するとき、音質効果処理を無効とするようにしてもよい。
【００５４】
実施形態２．
図１２は、本発明の実施形態２に係るエフェクタのハウジング内部を示す説明図である。
上記実施形態１では、人の動きを検出する人体センサ６１は、ハウジングカバー１６の頂部において上方に突出した突出部材２１中に上向きに配設されている。この実施形態２においては、光を透過しない材料により、第二基板の中央からハウジングカバー１６の頂部の開口まで延在する筒部材１０１を形成し、この筒部材１０１の内部に人体センサ６１を配設するようにしてもよい。
【００５５】
この実施形態２のようにエフェクタ１００を筒部材１０１に形成することによって、ハウジング内に配設される複数のＬＥＤ７１の光が人体センサ６１に直接、入射しないようにすることができる。そのため、人体センサ６１は、複数のＬＥＤ７１の発光により誤動作することなく、エフェクタ１の上部での人の動きを確実に検出することができる。
【００５６】
実施形態３．
図１３〜図１６は本発明の実施形態３に係るワイヤレス送信機を示す図であえる。図１３から図１５は、図２および図１１中に示されたワイヤレス送信機２の外観を示す図である。図１３のワイヤレス送信機は出願人の名称の一分であるＰとｂを組み合わせた形となっているが、この形はどのようなものでも良い。図１３はワイヤレス送信機２の正面図であり、図１４は背面図であり、図１５は右側面図である。図１３において、８３は起動ボタンであり、８１はボタン電池ボックスである。
【００５７】
図１６は、本発明の実施形態３に係るワイヤレス送信機の電気回路を示すブロック図である。本発明においては、エフェクタ１中に設けられた人体センサ６１による人体の動きの検出だけでなく、ギター等の楽器３に取りつけたワイヤレス送信機２を操作することによって、発光制御回路７２および音響効果制御回路５３を起動または停止させることができる。
【００５８】
図１６に示すように、ワイヤレス送信機２は、起動ボタン８３、無線送信部８２、信号処理回路８５、アンテナ８６から構成される。演奏者はエフェクタ１の発光素子を発光・消光させたいときには起動ボタン８３を押すことによって、信号処理回路８５が起動信号を生成し、無線送信部８２でその起動信号を変調してアンテナ８６から送出する。
【００５９】
アンテナ８６から送出された電波は、図１１に示すアンテナ６０で受信され、無線受信部６３で起動信号を復号化し、スイッチ回路６２に供給され、スイッチ回路６２をオンにする。以降の動作は実施形態１で述べたと同様に、発光制御回路７２および音響効果制御回路５３を起動または停止することができる。図１１において、スイッチ回路６２は、人体センサ６１からの信号または無線受信部６３からの信号のいずれで起動するようにしても良く、人体センサ６１または無線受信部６３を手動で切り替えるようにしても良い。
【００６０】
以上の実施形態は本発明の好適な実施形態の例であるが、本発明は、これに限定されるものではなく、発明の要旨を逸脱しない範囲において種々の変形や変更が可能である。
【産業上の利用可能性】
【００６１】
本発明は、エレキギターなどの楽器の演奏信号を発光素子で表示させるエフェクタに用いることができる。
【図面の簡単な説明】
【００６２】
【図１】本発明のギター等の楽器を有線でエフェクタに接続したときの説明図である。
【図２】本発明のギター等の楽器を無線でエフェクタに接続したときの説明図である。
【図３】本発明の実施形態１に係るエフェクタを斜め上からみた斜視図である。
【図４】本発明の実施形態１に係るエフェクタの上面図である。
【図５】本発明の実施形態１に係るエフェクタの底面図である。
【図６】本発明の実施形態１に係るエフェクタの正面図である。
【図７】本発明の実施形態１に係るエフェクタの背面図である。
【図８】本発明の実施形態１に係るエフェクタの右側面図である。
【図９】本発明の実施形態１に係るエフェクタ中の第一の回路基板および第二の回路基板の配置を示す内部配置図である。
【図１０】本発明の実施形態１に係るエフェクタのハウジング内部を示す説明図である。
【図１１】本発明の実施形態１に係るエフェクタのハウジング内に配設される電気回路のブロック図である。
【図１２】本発明の実施形態２に係るエフェクタのハウジング内部を示す説明図である。
【図１３】本発明の実施形態３に係るワイヤレス送信機の正面図である。
【図１４】本発明の実施形態３に係るワイヤレス送信機の背面図である。
【図１５】本発明の実施形態３に係るワイヤレス送信機の右側面図である。
【図１６】本発明の実施形態３に係るワイヤレス送信機の電気回路のブロック図である。
【図１７】従来のエフェクタの接続の一例を示す図である。
【図１８】従来のエフェクタのハウジング内に配設される電気回路のブロック図である。
【符号の説明】
【００６３】
１，１００  エフェクタ
２  ワイヤレス送信機
３  楽器
４  ケーブル
５  無線
１０  ハウジング
１１  ハウジング底板
１６  ハウジングカバー
１７  凸面
１８  凹面
２１  突出部材
５１  音響効果調整つまみ
５３  音響効果制御回路
６０  アンテナ
６１  人体センサ
７１  ＬＥＤ
７２  発光制御回路
７３  インタフェース
８１  ボタン電池ボックス
８３  起動ボタン
８６  アンテナ
１０１  筒部材
【図１】
2009053527.tif 000003
【図２】
2009053527.tif 000004
【図３】
2009053527.tif 000005
【図４】
2009053527.tif 000006
【図５】
2009053527.tif 000007
【図６】
2009053527.tif 000008
【図７】
2009053527.tif 000009
【図８】
2009053527.tif 000010
【図９】
2009053527.tif 000011
【図１０】
2009053527.tif 000012
【図１１】
2009053527.tif 000013
【図１２】
2009053527.tif 000014
【図１３】
2009053527.tif 000015
【図１４】
2009053527.tif 000016
【図１５】
2009053527.tif 000017
【図１６】
2009053527.tif 000018
【図１７】
2009053527.tif 000019
【図１８】
2009053527.tif 000020